(57)【要約】      （修正有）【課題】平行な横桟を有するグリルを清掃するグリル清掃具であって、グリルの横桟の全周を洗い易くし、複数の横桟を同時に洗うことができるグリル清掃具を提供する。【解決手段】グリル清掃具１０は、タワシ状材料からなる基部と、この基部の端部に一定間隔を置いて設けられた清掃体とから構成され、この清掃体は最端部には外方に拡大する開口部を設け、この開口部の奥にグリルの横桟５１を囲繞する清掃部を設けたことを特徴とするグリル清掃具。【選択図】図２
2018110686.tif 000002
【特許請求の範囲】
【請求項１】
平行な横桟を有するグリルを清掃するグリル清掃具であって、このグリル清掃具は、タワシ状材料からなる基部と、この基部の端部に一定間隔を置いて設けられた清掃体とから構成され、この清掃体は最端部には外方に拡大する開口部を設け、この開口部の奥にグリルの横桟を囲繞する清掃部を設けたことを特徴とするグリル清掃具。
【請求項２】
請求項１のグリル清掃具の清掃体とその近傍は硬質部とし、他の基部は軟質部としたことを特徴とするグリル清掃具。
【請求項３】
請求項１のグリル清掃具の基部は硬質部と軟質部を交互に積層し、硬質部の端部に清掃体を設けたことを特徴とするグリル清掃具。
【請求項４】
請求項１乃至請求項３の何れかのグリル清掃具の清掃体の間隔を１８ｍｍプラスマイナス１ｍｍとしたことを特徴とするグリル清掃具。
【発明の詳細な説明】
【技術分野】
【０００１】
この発明は、平行な横桟を有する焼き網のグリルを清掃するグリル清掃具に関する。
【背景技術】
【０００２】
ガスレンジ・IHレンジ・炭火コンロ等の焼き網のグリルは、平行な横桟を多数有しているので、横桟同士の間には清掃具が届き難く、洗い難いという問題があった。このようなグリルは横桟を一本ずつスポンジや布巾でつまむようにして清掃していたが大変面倒であった。又、グリルの汚れは油汚れが頑固で、焦げになってこびり着くことが多かった。
【先行技術文献】
【特許文献】
【０００３】
【特許文献１】実用新案登録第３１１４９２５
【特許文献２】特許出願公開２００５−１５２３１５
【発明の概要】
【発明が解決しようとする課題】
【０００４】
即ち、このようなグリルの清掃には図４に示すような問題があった。Bのようにブラシを用いた従来技術では、グリルの横桟の一部しか清掃具が接触せず洗い残しが生じるという問題があった。Bの特許文献１のナイロンの不織布を用いた技術でも、グリルの横桟同士の間には清掃具が接触しないという問題があった。また、Cの特許文献２の技術でもグリルの横桟の間の奥の方まで清掃具が接触しないという問題は解消されていなかった。
【課題を解決するための手段】
【０００５】
平行な横桟を有するグリルを清掃するグリル清掃具であって、このグリル清掃具は、タワシ状材料からなる基部と、この基部の端部に一定間隔を置いて設けられた清掃体とから構成され、この清掃体は最端部には外方に拡大する開口部を設け、この開口部の奥にグリルの横桟の略全周を囲繞する清掃部を設けたことを特徴とするグリル清掃具。
【発明の効果】
【０００６】
上記の問題点を解決し、グリルの横桟の全周を一度に洗い易くし、複数の横桟を同時に洗うことができるグリル清掃具を提供することができる。
【図面の簡単な説明】
【０００７】
【図１】第一の実施例のグリル清掃具を示す斜視図である。
【図２】第一の実施例のグリル清掃具の使用状態を示す斜視図である。
【図３】第一の実施例のグリル清掃具を示す六面図である。右側面図は左側面図と同一に表れる。背面図は正面図と同一に表れる。
【図４】本発明のグリル清掃具の清掃の効果を示す断面図である。
【図５】第二の実施例のグリル清掃具を示す斜視図である。
【図６】第三の実施例のグリル清掃具を示す斜視図である。
【図７】第四の実施例のグリル清掃具を示す斜視図である。
【図８】第二の実施例のグリル清掃具を示す六面図である。右側面図は左側面図と同一に表れる。背面図は正面図と同一に表れる。
【図９】第三の実施例のグリル清掃具を示す六面図である。右側面図は左側面図と同一に表れる。背面図は正面図と同一に表れる。
【図１０】第四の実施例のグリル清掃具を示す六面図である。右側面図は左側面図と同一に表れる。背面図は正面図と同一に表れる。
【図１１】第五の実施例のグリル清掃具を示す六面図である。右側面図は左側面図と同一に表れる。背面図は正面図と同一に表れる。
【図１２】第六の実施例のグリル清掃具を示す六面図である。右側面図は左側面図と同一に表れる。背面図は正面図と同一に表れる。
【発明を実施するための形態】
【０００８】
平行な横桟を有するグリルを清掃するグリル清掃具であって、このグリル清掃具は、タワシ状材料からなる基部と、この基部の端部に一定間隔を置いて設けられた清掃体とから構成され、この清掃体は最端部には外方に拡大する開口部を設け、この開口部の奥にグリルの横桟の略全周を囲繞する清掃部を設けたことを特徴とするグリル清掃具。
【０００９】
上記のグリル清掃具の清掃体とその近傍は硬質部とし、他の基部は軟質部としたことを特徴とするグリル清掃具。
上記のグリル清掃具の基部は硬質部と軟質部を交互に積層し、硬質部の端部に清掃体を設けたことを特徴とするグリル清掃具。
上記の何れかのグリル清掃具の清掃体の間隔を１８ｍｍプラスマイナス１ｍｍとしたことを特徴とするグリル清掃具。
【実施例】
【００１０】
図１、図３により、第一の実施例のグリル清掃具を説明する。実施例のグリル清掃具１０は、平行な格子状の横桟を清掃するグリル清掃具１０であって、タワシ状材料からなる基部２０と、この基部２０の端部に一定間隔を置いて設けられた複数の清掃体３０とから構成されている。
【００１１】
基部２０は、手で握れる大きさの略直方体の外形を有し、ポリエステル不織布やナイロン不織布に研磨剤を入れたものが用いられ、一定の弾力性を有している。場合によっては、アクリル樹脂やスチールウールを使用しても良い。
【００１２】
清掃体３０には最端部には外方にハの字状に拡大する開口部３３を設け、この開口部３３から奥に導入部３２を設け、その奥に清掃部３１を設けてある。導入部３２は狭小部とし、清掃部３１はグリルの横桟の直径より少し小さい直径の円筒状の空洞部としてある。横桟５１の直径は通常２.５ｍｍであるので、清掃部３１の直径も２．５ｍｍ以下が好ましい。
【００１３】
図２により使用方法を説明する。グリル５０は、略矩形の枠材５２に一定間隔に平行な横桟５１を設けたものである。調査の結果、表１に示すように、横桟５１の間隔は、メーカーや機種により若干異なるが、特殊なケースを除いて大部分は１８ｍｍプラスマイナス１ｍｍと略定形であることが判った。清掃体３０の間隔も１８ｍｍプラスマイナス１ｍｍとしてあるので、使用に当たっては、開口部３３から横桟５１を挿入することができ、横桟５１が清掃部３１に嵌合するまで挿入し、グリル清掃具１０を横桟５１の軸方向に動かして清掃できる。
【表１】
2018110686.tif 000003
【００１４】
このように、清掃体３０の間隔と横桟５１の間隔と大体一致しており、基部２０に弾力性があるので多少の違いは吸収することができる。そして複数の横桟５１を一度に清掃でき、清掃の手間を大幅に省くことができる。また、清掃部３１の直径は、横桟５１の直径より少し小さく、基部２０が弾力性を有していることとも相まって、清掃部３１は横桟５１をしっかり挟んで清掃することができる。
【００１５】
又、図４にも示すように、A発明の清掃部３１は横桟５１の全周を囲んで清掃することができ、横桟５１の一部しか清掃できないB,C,Dの従来技術に無い利点を有している。
【００１６】
図５、図８は第二の実施例のグリル清掃具１０であり、さらに清掃体３０を多数設けて、異なった間隔の横桟５１であっても嵌合できるようにしたものである。
【００１７】
図６、図９は第三の実施例のグリル清掃具１０であある。基部２０を硬質部２１と、軟質部２２とを積層させたものであり、硬質部２１に清掃体３０を設けている。このことにより、硬質部２１を強固な硬質材としても、軟質部２２が柔軟なので、清掃体３０の間隔と横桟５１の間隔が異なっても弾力的に嵌合させることができる。硬質部２１としては、ポリエステル不織布やナイロン不織布からなり、軟質部２２としては、ウレタン等の発泡材料から構成される。硬質部２１は頑固な汚れを落とす効果を高め、軟質部２２で弾力性を持たせる効果を得ている。
【００１８】
図７、図１０は第四の実施例のグリル清掃具１０であり、清掃体３０の近傍のみ硬質部２１とし、他の基部２０は軟質部２２としたものである。第四の実施例と同様な効果があり、製造をし易くしたものである。
【００１９】
図１１は第五の実施例のグリル清掃具１０であり、基部２０の上方の端部に異なった清掃部３０を設けて、異なった横桟５１の間隔を有するグリル５０にも対応できるようにしたものである。
【００２０】
図１２は第六の実施例のグリル清掃具１０であり、導入部３２から清掃部３１にかけて狭小のスリットとしている。基部２０には十分な弾力性を持たせてあるので、桟部５１を挿入したとき、基部２０の弾力性により清掃部３１が円筒形になるようにしたものである。
【産業上の利用可能性】
【００２１】
この発明のグリル清掃具は、焼き網のグリルの清掃用であるが、他の調理用具の格子状の横桟の清掃にも利用が可能である。
【符号の説明】
【００２２】
１０はグリル清掃具
２０は基部
２１は硬質部
２２は軟質部
３０は清掃体
３１は清掃部
３２は導入部
３３は開口部
５０はグリル
５１は横棧
５２は枠材
【図１】
2018110686.tif 000004
【図２】
2018110686.tif 000005
【図３】
2018110686.tif 000006
【図４】
2018110686.tif 000007
【図５】
2018110686.tif 000008
【図６】
2018110686.tif 000009
【図７】
2018110686.tif 000010
【図８】
2018110686.tif 000011
【図９】
2018110686.tif 000012
【図１０】
2018110686.tif 000013
【図１１】
2018110686.tif 000014
【図１２】
2018110686.tif 000015